【手続補正書】
【提出日】平成19年7月6日(2007.7.6)
【手続補正１】
【補正対象書類名】明細書
【補正対象項目名】発明の名称
【補正方法】変更
【補正の内容】
【発明の名称】ミキシングシステム
【手続補正２】
【補正対象書類名】明細書
【補正対象項目名】特許請求の範囲
【補正方法】変更
【補正の内容】
【特許請求の範囲】
【請求項１】
第１および第２のミキサを相互に関連させて動作させるミキシングシステムであって、
前記第１のミキサは、
当該第１のミキサにおけるミキシング処理の内容を規定する第１のシーンデータを記憶する手段と、
前記第１のシーンデータのリコールイベントが発生すると、前記第２のミキサに対してシーンリコール要求を送信するシーンリコール要求送信手段と、
前記第２のミキサからリコール可能応答を受信する手段と、
前記リコール可能応答が受信された後に、前記記憶した第１のシーンデータに基づいて前記第１のミキサのミキシング処理の内容を再構築する第１の再構築手段と、
を有し、
前記第２のミキサは、
当該第２のミキサにおけるミキシング処理の内容を規定する第２のシーンデータを記憶する手段と、
前記第１のミキサから前記シーンリコール要求を受信する手段と、
前記シーンリコール要求が受信された後に、前記第１のミキサに対してリコール可能応答を送信するリコール可能応答送信手段と、
前記リコール可能応答を送信した後に、前記第２のシーンデータに基づいて前記第２のミキサのミキシング処理の内容を再構築する第２の再構築手段と
を有する事を特徴とするミキシングシステム。
【請求項２】
前記第１のミキサは、前記リコール可能応答を受信した後に前記第２のミキサに対してリコール開始指令を送信するリコール開始指令送信手段をさらに有し、
前記第１の再構築手段は該リコール開始指令の完了後に前記第１のミキサのミキシング処理の内容を再構築するものであり、前記第２の再構築手段は該リコール開始指令が前記第２のミキサにおいて受信された後に前記第２のミキサのミキシング処理の内容を再構築するものである
ことを特徴とする請求項１記載のミキシングシステム。
【請求項３】
前記第１のミキサは、前記リコール可能応答を受信した後に前記第２のミキサに対してリンクされたパラメータを送信するパラメータ送信手段をさらに有し、
前記リコール開始指令送信手段は、該パラメータの送信の終了後に前記リコール開始指令を送信するものである
ことを特徴とする請求項２記載のミキシングシステム。
【手続補正３】
【補正対象書類名】明細書
【補正対象項目名】０００１
【補正方法】変更
【補正の内容】
【０００１】
【発明の属する技術分野】
本発明は、大規模なミキシング処理に用いて好適なミキシングシステムに関する。
【手続補正４】
【補正対象書類名】明細書
【補正対象項目名】０００５
【補正方法】変更
【補正の内容】
【０００５】
【発明が解決しようとする課題】
ところで、これら複数のミキシングシステム間においてシーンリコールがリンクされている状態において一方のシステムでシーンリコール操作が行なわれると、該一方のシステムにおいてシーンリコール処理が実行されるとともに、他方のシステムに対してリコール指示が送信される。そして、他方のシステムでは、受信したリコール指示に応じて、シーンリコール処理が実行されることになる。しかし、このリコール指示を受信したシステムにおいて他の緊急な処理が行われていた場合においては、シーンリコール処理を直ちに実行することが不可能である。かかる場合には、両システム間において、シーンリコールの実行タイミングがずれるという問題があった。
この発明は上述した事情に鑑みてなされたものであり、複数のミキサのシーンリコール処理をほぼ同時期に実行することができるミキシングシステムを提供することを目的としている。
【手続補正５】
【補正対象書類名】明細書
【補正対象項目名】０００６
【補正方法】変更
【補正の内容】
【０００６】
【課題を解決するための手段】
上記課題を解決するため本発明にあっては、下記構成を具備することを特徴とする。なお、括弧内は例示である。
請求項１記載のミキシングシステムにあっては、第１および第２のミキサを相互に関連させて動作させるミキシングシステムであって、前記第１のミキサ（１００Ａ，１００Ｂ，２００Ｅ）は、当該第１のミキサにおけるミキシング処理の内容を規定する第１のシーンデータを記憶する手段（１２２ｂ）と、前記第１のシーンデータのリコールイベントが発生すると、前記第２のミキサに対してシーンリコール要求を送信するシーンリコール要求送信手段（ＳＰ２３８）と、前記第２のミキサからリコール可能応答を受信する手段（ＳＰ２４４）と、前記リコール可能応答が受信された後に、前記記憶した第１のシーンデータに基づいて前記第１のミキサのミキシング処理の内容を再構築する第１の再構築手段（ＳＰ２５２）と、を有し、前記第２のミキサ（１００Ｃ，１００Ｄ，２００Ｆ）は、当該第２のミキサにおけるミキシング処理の内容を規定する第２のシーンデータを記憶する手段（１２２ｂ）と、前記第１のミキサから前記シーンリコール要求を受信する手段（図１０(b)）と、前記シーンリコール要求が受信された後に、前記第１のミキサに対してリコール可能応答を送信するリコール可能応答送信手段（ＳＰ２７４）と、前記リコール可能応答を送信した後に、前記第２のシーンデータに基づいて前記第２のミキサのミキシング処理の内容を再構築する第２の再構築手段（ＳＰ２８２）とを有する事を特徴とする。
さらに、請求項２記載の構成にあっては、請求項１記載のミキシングシステムにおいて、前記第１のミキサは、前記リコール可能応答を受信した後に前記第２のミキサに対してリコール開始指令を送信するリコール開始指令送信手段（ＳＰ２５０）をさらに有し、前記第１の再構築手段（ＳＰ２５２）は該リコール開始指令（ＳＰ２５０）の完了後に前記第１のミキサのミキシング処理の内容を再構築するものであり、前記第２の再構築手段（ＳＰ２８２）は該リコール開始指令が前記第２のミキサにおいて受信された後に（ＳＰ２８０にて「ＹＥＳ」と判定された後に）前記第２のミキサのミキシング処理の内容を再構築するものであることを特徴とする。
さらに、請求項３記載の構成にあっては、請求項２記載のミキシングシステムにおいて、前記第１のミキサは、前記リコール可能応答を受信した後に前記第２のミキサに対してリンクされたパラメータを送信するパラメータ送信手段（ＳＰ２４８）をさらに有し、前記リコール開始指令送信手段（ＳＰ２５０）は、該パラメータの送信（ＳＰ２４８）の終了後に前記リコール開始指令を送信するものであることを特徴とする。
【手続補正６】
【補正対象書類名】明細書
【補正対象項目名】０１０７
【補正方法】変更
【補正の内容】
【０１０７】
3．1．2．シーンリコール処理
何れかのコンソールにおいてシーンリコール操作が実行されると、コンソールにおいて、図１０(a)に示すシーンリコールイベント処理ルーチンが起動される。なお、ここでは、シーンリコール操作が生じたカスケードグループがシングルコンソールシステムである場合の動作について説明する。
【手続補正７】
【補正対象書類名】明細書
【補正対象項目名】０１１１
【補正方法】変更
【補正の内容】
【０１１１】
次に、処理がステップＳＰ２４０に進むと、コンソール１００Ａ内においてシーン領域１２２ｂ内のシーン番号ＳＮの内容が新たなカレント操作データとしてカレント領域１２２ａにコピーされる。次に処理がステップＳＰ２４４に進むと、相手側グループのコンソール１００Ｃ，１００Ｄの双方から「リコール可能応答」を受信し、またはタイムアウトが発生したか（ステップＳＰ２４０の終了後に所定時間が経過したか）か否かが判定される。ここで「ＮＯ」と判定されると、ステップＳＰ２４４の処理が繰り返される。